(57)【要約】【課題】  記録ヘッドの吐出口面に供給されることで、インクの間欠吐出安定性を向上しうる液体を提供する。【解決手段】  水性インクを吐出するためのインクジェット方式の記録ヘッドの吐出口面に供給する液体であって、前記液体が、第１化合物、及び界面活性剤を含有し、前記第１化合物が、炭素数７以上の鎖状炭化水素基を有する１価のカルボン酸、及び炭素数８以上の鎖状炭化水素基を有する１価のアルコールの少なくとも一方を含むことを特徴とする液体。【選択図】  なし【特許請求の範囲】
【請求項１】
水性インクを吐出するためのインクジェット方式の記録ヘッドの吐出口面に供給する液体であって、
前記液体が、第１化合物、及び界面活性剤を含有し、
前記第１化合物が、炭素数７以上の鎖状炭化水素基を有する１価のカルボン酸、及び炭素数８以上の鎖状炭化水素基を有する１価のアルコールの少なくとも一方を含むことを特徴とする液体。
【請求項２】
前記第１化合物の含有量（質量％）が、液体全質量を基準として、０．０５質量％以上０．５０質量％以下である請求項１に記載の液体。
【請求項３】
前記界面活性剤が、下記一般式（１）で表される化合物である請求項１又は２に記載の液体。
【化１】
2019163432.tif 000009
（一般式（１）中、Ｒ１及びＲ２は、それぞれ独立に、炭素数１以上４以下のアルキル基であり、ｘ＋ｙは、０．０以上３０．０以下である。）
【請求項４】
前記界面活性剤の含有量（質量％）が、前記第１化合物の含有量（質量％）に対する質量比率（倍）で、０．１倍以上２００．０倍以下である請求項１乃至３のいずれか１項に記載の液体。
【請求項５】
前記カルボン酸の鎖状炭化水素基の炭素数が、２１以下である請求項１乃至４のいずれか１項に記載の液体。
【請求項６】
前記アルコールの鎖状炭化水素基の炭素数が、２２以下である請求項１乃至５のいずれか１項に記載の液体。
【請求項７】
インクジェット方式の記録ヘッドから水性インクを吐出して、記録媒体に画像を記録する記録工程、及び液体を前記記録ヘッドの吐出口面に供給する供給工程を有するインクジェット記録方法であって、
前記液体が、第１化合物、及び界面活性剤を含有し、
前記第１化合物が、炭素数７以上の鎖状炭化水素基を有する１価のカルボン酸、及び炭素数８以上の鎖状炭化水素基を有する１価のアルコールの少なくとも一方を含むことを特徴とするインクジェット記録方法。
【請求項８】
水性インクを吐出するインクジェット方式の記録ヘッド、及び液体を前記記録ヘッドの吐出口面に供給する部材を有するインクジェット記録装置であって、
前記液体が、第１化合物、及び界面活性剤を含有し、
前記第１化合物が、炭素数７以上の鎖状炭化水素基を有する１価のカルボン酸、及び炭素数８以上の鎖状炭化水素基を有する１価のアルコールの少なくとも一方を含むことを特徴とするインクジェット記録装置。
【発明の詳細な説明】
【技術分野】
【０００１】
本発明は、記録ヘッドの吐出口面に供給される液体、インクジェット記録方法、及びインクジェット記録装置に関する。
【背景技術】
【０００２】
近年、インクジェット記録装置は、商業印刷分野やオフィス印刷分野で使用する機会が増えている。これらの分野においては、高画質な画像を記録するために、記録ヘッドの吐出口列を密に配置することが求められている。このような記録ヘッドを用いる場合、インクの吐出頻度の低い吐出口で、インクの吐出性の低下が起こらないように、これまで以上にインクの間欠吐出安定性を向上させる必要がある。インクの間欠吐出安定性を向上させるために、オレイン酸などの脂肪酸を含有する水性インクが提案されている（特許文献１参照）。また、ワイパーで吐出口面をワイピングし、吐出口面に付着したインクを除去する際に、クリーニング液を使用することが提案されている（特許文献２参照）。さらに、炭素数６以上の高級アルコール、グリコールエーテル又はグリコールエステル、及び可塑剤を含有するクリーニング液が提案されている（特許文献３参照）。
【先行技術文献】
【特許文献】
【０００３】
【特許文献１】特開２０１１−２０２０８８号公報
【特許文献２】特開２００６−２０５７１３号公報
【特許文献３】国際公開第２０１０／１１９５１１号
【発明の概要】
【発明が解決しようとする課題】
【０００４】
本発明者らは、特許文献１に記載されている水性インクを使用して、検討を行ったところ、インクの間欠吐出安定性が得られないことがわかった。さらに、ワイパーを使用して、特許文献３に記載されているクリーニング液を吐出口面に供給しても、インクの間欠吐出安定性が得られないことがわかった。
【０００５】
したがって、本発明の目的は、記録ヘッドの吐出口面に供給されることで、インクの間欠吐出安定性を向上しうる液体を提供することにある。また、本発明の別の目的は、前記液体を用いたインクジェット記録方法、及びインクジェット記録装置を提供することにある。
【課題を解決するための手段】
【０００６】
本発明は、水性インクを吐出するためのインクジェット方式の記録ヘッドの吐出口面に供給する液体であって、前記液体が、第１化合物、及び界面活性剤を含有し、前記第１化合物が、炭素数７以上の鎖状炭化水素基を有する１価のカルボン酸、及び炭素数８以上の鎖状炭化水素基を有する１価のアルコールの少なくとも一方を含むことを特徴とする液体に関する。
【０００７】
また、本発明は、インクジェット方式の記録ヘッドから水性インクを吐出して、記録媒体に画像を記録する記録工程、及び液体を前記記録ヘッドの吐出口面に供給する供給工程を有するインクジェット記録方法であって、前記液体が、第１化合物、及び界面活性剤を含有し、前記第１化合物が、炭素数７以上の鎖状炭化水素基を有する１価のカルボン酸、及び炭素数８以上の鎖状炭化水素基を有する１価のアルコールの少なくとも一方を含むことを特徴とするインクジェット記録方法に関する。
【０００８】
さらに、本発明は、水性インクを吐出するインクジェット方式の記録ヘッド、及び液体を前記記録ヘッドの吐出口面に供給する部材を有するインクジェット記録装置であって、前記液体が、第１化合物、及び界面活性剤を含有し、前記第１化合物が、炭素数７以上の鎖状炭化水素基を有する１価のカルボン酸、及び炭素数８以上の鎖状炭化水素基を有する１価のアルコールの少なくとも一方を含むことを特徴とするインクジェット記録装置に関する。
【発明の効果】
【０００９】
本発明によれば、記録ヘッドの吐出口面に供給されることで、インクの間欠吐出安定性を向上しうる液体、前記液体を用いたインクジェット記録方法、及びインクジェット記録装置を提供することにある。
【図面の簡単な説明】
【００１０】
【図１】液体供給装置の一例を模式的に示す断面図である。
【図２】インクジェット記録装置の一例を模式的に示す斜視図である。
【発明を実施するための形態】
【００１１】
以下、本発明の実施の形態について、詳細に述べる。本発明においては、以下、水性インクは、「インク」と記載することがある。各種の物性値は、特に断りのない限り、温度２５℃における値である。
【００１２】
インクジェット記録方法で画像を記録する際、記録ヘッドの回復動作を行わず、かつ、記録ヘッドの一部の吐出口から一定時間インクが吐出されない状態が続くと、この吐出口からインク中の水分が蒸発する。その後、この吐出口からインクを吐出させようとすると、吐出が不安定になる場合や吐出できない場合があり、その結果として記録される画像が乱れやすくなる。間欠吐出安定性とは、このような場合であってもインクの吐出が不安定になったり、不吐出が起こったりせず、記録される画像に乱れが生じにくい特性をいう。
【００１３】
本発明者らの検討の結果、記録ヘッドの吐出口面に、インク中の水分蒸発を抑制する第１化合物、及び界面活性剤を含有する液体を供給することで、吐出口からのインク中の水分蒸発を抑制でき、インクの間欠吐出安定性が得られることがわかった。その理由は、以下の通りである。
【００１４】
記録ヘッドの吐出口面に液体が供給されると、吐出口内に液体が引き込まれることで、吐出口に形成されるメニスカスにも液体が供給されることとなる。ここで、記録ヘッドの吐出口面に供給する液体は、第１化合物を含有する。この第１化合物は、炭素数７以上の鎖状炭化水素基を有する１価のカルボン酸、及び炭素数８以上の鎖状炭化水素基を有する１価のアルコールの少なくとも一方を含む。第１化合物は、親水性であるカルボキシ基及びヒドロキシ基、並びに疎水性である鎖状炭化水素基を有するため、吐出口に形成されるメニスカスに配向する。
【００１５】
しかし、第１化合物は、分子間力により互いに引き合うため、インク中で集まりやすい。これにより、第１化合物がメニスカスの全体に配向しにくく、膜を形成しにくい。そこで、記録ヘッドの吐出口面に供給する液体に、界面活性剤を含有させることとした。一般に、界面活性剤は、疎水性部位を有するとともに、水と親和性の高い親水性部位を有することで界面活性能を示す化合物である。界面活性剤の疎水性部位と第１化合物の鎖状炭化水素が疎水性相互作用し、界面活性剤の親水性部位がインク中の水となじむことで、界面活性剤の存在により第１化合物が集まりにくくなる。これにより、第１化合物は、メニスカスの全体に配向して、膜を形成できる。この膜が吐出口からのインク中の水分蒸発を抑制するため、インクの間欠吐出安定性が得られる。
【００１６】
さらに、第１化合物が、鎖状炭化水素基の炭素数が７以上の１価のカルボン酸、及び鎖状炭化水素基の炭素数が８以上の１価のアルコールの少なくとも一方を含むことで、第１化合物の親疎水性のバランスがよい。これにより、インク中の水分蒸発を抑制するのに十分な膜を形成できる。カルボン酸及びアルコールの価数が２価以上であったり、カルボン酸及びアルコールの鎖状炭化水素基の炭素数が上記範囲外であったりすると、第１化合物の親水性が高く、インク中の水となじみやすいため、第１化合物がメニスカスに配向しにくい。さらに、第１化合物の分子自体が小さいため、第１化合物がメニスカスに配向しても、形成される膜が薄くなる。これにより、吐出口からのインク中の水分蒸発を抑制できず、インクの間欠吐出安定性が得られない。
【００１７】
特許文献１に記載のように、インクに第１化合物、及び界面活性剤を含有させても、インクの間欠吐出安定性は得られなかった。インクに第１化合物、及び界面活性剤を含有させると、吐出口からのインク中の水分蒸発をトリガーとして、第１化合物がメニスカスに徐々に配向していくため、第１化合物がメニスカスの全体に配向して膜を形成するのに時間を要する。第１化合物がメニスカスに配向して膜を形成する間にも、吐出口からインク中の水分が蒸発していくため、インクの間欠吐出安定性が得られなかった。本発明のように、記録ヘッドの吐出口面に第１化合物、及び界面活性剤を含有する液体を供給することで、吐出口に形成されるメニスカスに液体を供給できるため、第１化合物がメニスカスの全体に配向して膜を形成する。これにより、インクの間欠吐出安定性が得られる。
【００１８】
＜液体＞
本発明の液体は、水性インクを吐出するためのインクジェット方式の記録ヘッドの吐出口面に供給する液体である。液体は、第１化合物、及び界面活性剤を含有する。以下、液体を構成する各成分について詳細に説明する。鎖状炭化水素基は、直鎖、又は分岐鎖の炭化水素基であり、不飽和結合を有していてもよい。
【００１９】
（第１化合物）
液体中の第１化合物の含有量（質量％）は、液体全質量を基準として、０．０５質量％以上０．５０質量％以下であることが好ましい。前記含有量が０．０５質量％未満であると、液体中の第１化合物が少ないため、第１化合物がメニスカスの全体に配向できず、膜を形成しにくい。そのため、吐出口からのインク中の水分蒸発を抑制しにくくなり、インクの間欠吐出安定性が十分に得られない場合がある。前記含有量が０．５０質量％を超えると、液体中の第１化合物が多い。そのため、一定時間インクが吐出されない状態が続いた吐出口では、吐出口近傍で第１化合物が固着してしまい、インクの間欠吐出安定性が十分に得られない場合がある。
【００２０】
［カルボン酸］
炭素数７以上の鎖状炭化水素基を有する１価のカルボン酸としては、カプリル酸、カプリン酸、ラウリン酸、ミリスチン酸、パルミチン酸、ステアリン酸、アラキジン酸、ベヘン酸、オレイン酸、エライジン酸、エルカ酸、リノール酸、リノレン酸、アラキドン酸、エイコサペンタエン酸、ドコサヘキサエン酸などが挙げられる。これらは必要に応じて１種のみを単独で、又は２種以上を組み合わせて用いることができる。なかでも、カルボン酸は、オレイン酸であることが好ましい。
【００２１】
カルボン酸の鎖状炭化水素基の炭素数は、２１以下であることが好ましい。前記炭素数が２２以上であると、カルボン酸の疎水性が高く、インク中の水となじみにくいため、記録ヘッドの吐出口面にカルボン酸を含有する液体を均一に供給しにくくなる。これにより、メニスカスに液体を供給しにくく、第１化合物がメニスカスの全体に配向しにくくなる。そのため、吐出口からのインク中の水分蒸発を抑制しにくくなり、インクの間欠吐出安定性が十分に得られない場合がある。さらに、カルボン酸の分子自体が大きいと、メニスカスに形成される膜が厚くなるため、一定時間インクが吐出されない状態が続いた吐出口からインクを吐出させようとしても、膜が除去されにくい。これにより、インクの間欠吐出安定性が十分に得られない場合がある。
【００２２】
［アルコール］
炭素数８以上の鎖状炭化水素基を有する１価のアルコールとしては、カプリルアルコール、ペラルゴンアルコール、カプリンアルコール、ウンデシルアルコール、ラウリルアルコール、トリデシルアルコール、ミリスチルアルコール、ペンタデシルアルコール、セチルアルコール、パルミトレイルアルコール、１−ヘプタデカノール、ステアリルアルコール、イソステアリルアルコール、エライジルアルコール、オレイルアルコール、リノレイルアルコール、エライドリノレイルアルコール、リノレイルアルコール、エライドリノレニルアルコール、リシノレイルアルコール、ノナデシルアルコール、アラキジルアルコール、ヘンエイコサノール、ベヘニルアルコール、エルシルアルコールなどが挙げられる。これらは必要に応じて１種のみを単独で、又は２種以上を組み合わせて用いることができる。なかでも、アルコールは、オレイルアルコールであることが好ましい。
【００２３】
アルコールの鎖状炭化水素基の炭素数は、２２以下であることが好ましい。前記炭素数が２３以上であると、アルコールの疎水性が高く、インク中の水となじみにくいため、記録ヘッドの吐出口面にアルコールを含有する液体を均一に供給しにくくなる。これにより、メニスカスに液体を供給しにくく、第１化合物がメニスカスの全体に配向しにくくなる。そのため、吐出口からのインク中の水分蒸発を抑制しにくくなり、インクの間欠吐出安定性が十分に得られない場合がある。さらに、アルコールの分子自体が大きいと、メニスカスに形成される膜が厚くなるため、一定時間インクが吐出されない状態が続いた吐出口からインクを吐出させようとしても、膜が除去されにくい。これにより、インクの間欠吐出安定性が十分に得られない場合がある。
【００２４】
（界面活性剤）
液体は、界面活性剤を含有する。界面活性剤は、アニオン性界面活性剤、ノニオン性界面活性剤、カチオン性界面活性剤、両性界面活性剤などを用いることができる。なかでも、界面活性剤は、インクの信頼性の観点から、ノニオン性界面活性剤であることが好ましい。
【００２５】
ノニオン性界面活性剤としては、アセチレングリコール系、ポリオキシエチレンアルキルエーテル系などの炭化水素系の界面活性剤、パーフルオロアルキルエチレンオキサイド付加物などのフッ素系の界面活性剤、ポリエーテル変性シロキサン化合物などのシリコーン系の界面活性剤などが挙げられる。なかでも、ノニオン性界面活性剤としては、炭化水素系の界面活性剤であることが好ましく、アセチレングリコール系の界面活性剤であることがさらに好ましい。
【００２６】
なかでも、界面活性剤は、下記一般式（１）で表される化合物であることが好ましい。
【００２７】
【化１】
2019163432.tif 000002
【００２８】
（一般式（１）中、Ｒ１及びＲ２は、それぞれ独立に、炭素数１以上４以下のアルキル基であり、ｘ＋ｙは、０．０以上３０．０以下である）。
【００２９】
一般式（１）で表される化合物は、ｘ＋ｙが０．０の場合、アセチレングリコール系の界面活性剤であり、ｘ＋ｙが０．０を超えて３０．０以下である場合、エチレンオキサイドが付加したアセチレングリコール系の界面活性剤である。一般式（１）で表される化合物は、ミセルを形成しにくい構造を有しているため、メニスカスにすばやく配向して、膜を形成できる。これにより、インクの間欠吐出安定性が向上する。
【００３０】
ｘ＋ｙが３０．０を超えると、一般式（１）で表される化合物が立体的に大きくなるため、メニスカスにすばやく配向できず、膜を形成しにくい。これにより、インクの間欠吐出安定性が十分に得られない場合がある。
【００３１】
液体中の界面活性剤の含有量（質量％）は、第１化合物の含有量（質量％）に対する質量比率（倍）で、０．１倍以上２００．０倍以下であることが好ましい。前記質量比率が０．１倍未満であると、第１化合物に対して界面活性剤が少ないため、第１化合物が集まりやすくなる。これにより、第１化合物は、メニスカスの全体に配向しにくくなり、吐出口からのインク中の水分蒸発を抑制しにくいため、インクの間欠吐出安定性が十分に得られない場合がある。
【００３２】
前記質量比率が２００．０倍を超えると、第１化合物に対して界面活性剤が多いため、界面活性剤により第１化合物が分散されやすい。そのため、メニスカスに配向できる第１化合物が少なくなるため、メニスカスに膜を形成しにくい。これにより、吐出口からのインク中の水分蒸発を抑制しにくくなり、インクの間欠吐出安定性が十分に得られない場合がある。
【００３３】
液体中の界面活性剤の含有量（質量％）は、液体全質量を基準として、０．０３質量％以上１０．００質量％以下であることが好ましい。
【００３４】
＜インク＞
以下、本発明で用いるインクを構成する各成分について詳細に説明する。インクは、色材を含有してもよいし、色材を含有しなくてもよい。
【００３５】
（色材）
色材としては、染料や顔料を用いることができる。インク中の色材の含有量は、インク全質量を基準として、０．１質量％以上１５．０質量％以下であることが好ましく、１．０質量％以上１０．０質量％以下であることがより好ましい。
【００３６】
染料としては、アニオン性基を有するものを用いることが好ましい。染料の具体例としては、アゾ、トリフェニルメタン、（アザ）フタロシアニン、キサンテン、アントラピリドンなどを挙げることができる。
【００３７】
顔料の分散方式としては、分散剤として樹脂を用いた樹脂分散顔料や、顔料の粒子表面に親水性基が結合している自己分散顔料などを用いることができる。また、顔料の粒子表面に樹脂を含む有機基を化学的に結合させた樹脂結合型顔料や、顔料の粒子の表面を樹脂などで被覆したマイクロカプセル顔料などを用いることができる。分散方法が異なる顔料を併用することも可能である。なかでも、分散剤として樹脂を用いた樹脂分散顔料を用いることが好ましい。
【００３８】
顔料の具体例としては、カーボンブラック、酸化チタンなどの無機顔料；アゾ、フタロシアニン、キナクリドン、イソインドリノン、イミダゾロン、ジケトピロロピロール、ジオキサジンなどの有機顔料を挙げることができる。
【００３９】
（水性媒体）
インクは、水、又は水及び水溶性有機溶剤の混合溶媒である水性媒体を含有させることができる。水としては、脱イオン水やイオン交換水を用いることが好ましい。水性インク中の水の含有量（質量％）は、インク全質量を基準として、５０．０質量％以上９５．０質量％以下であることが好ましい。また、水性インク中の水溶性有機溶剤の含有量（質量％）は、インク全質量を基準として、３．０質量％以上５０．０質量％以下であることが好ましい。水溶性有機溶剤としては、アルコール類、（ポリ）アルキレングリコール類、グリコールエーテル類、含窒素化合物類、含硫黄化合物類などのインクジェット用のインクに使用可能なものをいずれも用いることができる。また、これらの水溶性有機溶剤の１種又は２種以上をインクに含有させることができる。
【００４０】
（その他添加剤）
インクには、上記成分の他に、尿素やその誘導体、トリメチロールプロパン、１，６−ヘキサンジオール、及び数平均分子量が１，０００であるポリエチレングリコールなどの温度２５℃で固体の水溶性有機化合物を含有させてもよい。また、インクには、必要に応じて、消泡剤、ｐＨ調整剤、粘度調整剤、防錆剤、防腐剤、防黴剤、酸化防止剤、還元防止剤など種々の添加剤を含有してもよい。
【００４１】
＜インクジェット記録方法＞
本発明のインクジェット記録方法は、インクジェット方式の記録ヘッドから上記で説明したインクを吐出して、記録媒体に画像を記録する記録工程を有する。さらに、上記で説明した液体を記録ヘッドの吐出口面に供給する供給工程を有する。
【００４２】
吐出方式としては、インクに力学的エネルギーを付与する方式や、インクに熱エネルギーを付与する方式が挙げられる。本発明においては、インクに熱エネルギーを付与してインクを吐出する方式を採用することが好ましい。
【００４３】
図１は、液体供給装置の一例を模式的に示す断面図である。従来の液体供給装置は、クリーニング液を吐出口面に供給して、吐出口面に付着したインクを除去するために使用される。本発明における液体供給装置は、従来とは異なり、吐出口からのインク中の水分蒸発を抑制するための液体を供給するために使用される。
【００４４】
記録ヘッド１は、キャリッジ２１１に搭載されている。ゴムなどの弾性部材で形成されるワイパー２４３Ａ及び２４３Ｂがワイパーホルダ１０に固定されており、ワイパーホルダ１０は図の左右方向（記録ヘッド１の主走査方向と直交する、吐出口が配列された方向）に移動可能である。ワイパー２４３Ａ及び２４３Ｂは高さが異なっており、記録ヘッド１の吐出口面１１との摺接時に、前者は相対的に大きく屈曲して側部が、後者は相対的に小さく屈曲して先端部が当接するようになっている。
【００４５】
液体供給装置１２は、ワイパー２４３Ａ、２４３Ｂが吐出口面１１に接触することで、液体を吐出口面１１に塗布するための装置であり、容器に液体を収納した形態とすることができる。また、所定量の液体を保持する一方、ワイパー２４３Ａ、２４３Ｂとの接触に応じて液体を滲出させる吸収体を少なくとも当該接触部位に有しているものとすることができる。
【００４６】
ホームポジションとは、画像を記録しない際に、記録ヘッドが待機している位置である。液体を吐出口面に供給する動作にあたっては、記録ヘッド１をホームポジションから離れた位置で待機させた状態、又はホームポジションに移動させる前に、液体供給装置１２にワイパー２４３Ａ、２４３Ｂを接触させることで液体をワイパーに転移させる。そして、ワイパーホルダ１０を図示の位置に戻し、記録ヘッドをホームポジションに設定する。これらの動作の時は、ワイパー２４３Ａ、２４３Ｂは吐出口面に接触しない。その後、再びワイパーホルダ１０を矢印方向に移動させる。この移動の過程で、相対的に長いワイパー２４３Ａがまず吐出口面１１に摺接し、相対的に短いワイパー２４３Ｂがこれに続くことになる。そして、ワイパーホルダ１０が図示の位置に戻る際に、再びワイパー２４３Ａ、２４３Ｂが吐出口面１１に摺接するため、往復で吐出口面１１に液体が供給される。液体を吐出口面に供給する動作は、吸引回復操作の後や、画像を記録した後などのタイミングで行うことが好ましい。これにより、一定時間インクが吐出されない状態で放置されたインクジェット記録装置から再びインクを吐出して画像を記録しても、吐出口からのインク中の水分蒸発を抑制できるため、インクの間欠吐出安定性が向上する。
【００４７】
液体供給装置としては、図１に示すように、ワイパーなどで吐出口面に液体を塗布する装置や、布や多孔質部材などを吐出口面に押し当てて液体を供給する装置なども用いることができる。なかでも、ワイパーなどの吐出口面に液体を塗布する部材を用いることが好ましい。
【００４８】
＜インクジェット記録装置＞
本発明のインクジェット記録装置は、インクを吐出するインクジェット方式の記録ヘッド、及び液体を記録ヘッドの吐出口面に供給する部材を有する。
【００４９】
図２は、インクジェット記録装置の一例を模式的に示す斜視図である。記録装置１０００は、不図示のインクカートリッジを収納するキャリッジ２１１を備えている。キャリッジ２１１は、ガイドシャフト２０６に沿って、図２中のｘ方向に移動する。ガイドシャフト２０６は、記録媒体の幅方向に沿って配置されている。キャリッジ２１１に搭載された記録ヘッドは、記録媒体の搬送方向（図２中のｙ方向）と交差する方向に走査しながらインクを吐出することで、画像を記録する。記録装置１０００は、その内部に記録媒体を供給する給紙部２１５と、キャリッジ２１１の位置を光学的に読み取るエンコーダセンサ２１６と、を有している。記録装置１０００は、記録ヘッドをｘ方向に移動させつつ、ｚ方向へ向けてインクを吐出させる記録動作と、記録媒体をｙ方向に搬送する搬送動作と、を繰り返すことによって、記録媒体上に順次画像を記録する。
【００５０】
キャリッジ２１１にはベルト２０４が取り付けられており、ベルト２０４にはキャリッジモータ２１２が取り付けられている。これにより、キャリッジモータ２１２による駆動力がベルト２０４を介してキャリッジ２１１に伝えられるので、キャリッジ２１１がガイドシャフト２０６によって案内されながら、ｘ方向に移動する。また、キャリッジ２１１には、不図示の制御部からの電気信号を記録ヘッドに転送するためのフレキシブルケーブル２１３が、記録ヘッドの電気配線部材に接続されるように取り付けられている。さらに、記録装置１０００には、記録ヘッドの吐出口を覆うキャップ２４１、及びワイパー２４３が配置されている。ワイパー２４３は先に述べたとおり、複数個配置してもよい。ワイパー２４３は、図２中のｙ方向に移動し、キャリッジ２１１に搭載されている記録ヘッドの吐出口面に液体を供給できる。
【実施例】
【００５１】
以下、実施例、及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００５２】
＜液体の調製＞
表２〜４に記載の各成分を混合した。その際、表１に記載のノニオン性界面活性剤を用いた。十分撹拌した後、ポアサイズ３．０μｍのフィルターにて加圧ろ過を行い、液体を得た。
【００５３】
【表１】
2019163432.tif 000003
【００５４】
【表２】
2019163432.tif 000004
【００５５】
【表３】
2019163432.tif 000005
【００５６】
【表４】
2019163432.tif 000006
【００５７】
＜顔料分散液の調製＞
（顔料分散液１）
顔料１５．０部、樹脂を含む液体３０．０部、及びイオン交換水５５．０部を混合した。顔料としてはカーボンブラックを用いた。樹脂を含む液体としては、スチレン−アクリル酸共重合体を、共重合体の酸価に対して等モル量の水酸化ナトリウム水溶液で中和し、樹脂の含有量が２０．０％である液体を用いた。スチレン−アクリル酸共重合体は、酸価が２００ｍｇＫＯＨ／ｇであり、重量平均分子量が１０，０００である。この混合物を、粒径０．３ｍｍのジルコニアビーズ２００．０部を充填したバッチ式縦型サンドミル（アイメックス製）を用いて、水で冷やしながら１時間分散した。その後、この分散液を遠心分離処理して粗大粒子を除去し、ポアサイズ３．０μｍのセルロースアセテートフィルター（アドバンテック製）にて加圧ろ過を行った。前記の方法により、顔料が樹脂によって水中に分散された状態の顔料分散液１（顔料の含有量が１５．０％、樹脂の含有量が６．０％）を得た。
【００５８】
（顔料分散液２）
顔料分散液１の調製において、顔料の種類をＣ．Ｉ．ピグメントブルー１５：３（Ｈｏｓｔａｐｅｒｍ  Ｂｌｕｅ  Ｂ２Ｇ、クラリアント製）に変更した。それ以外は、顔料分散液１の調製と同様の手順で、顔料が樹脂によって水中に分散された状態の顔料分散液２（顔料の含有量が１５．０％、樹脂の含有量が６．０％）を得た。
【００５９】
（顔料分散液３）
顔料分散液１の調製において、顔料の種類をＣ．Ｉ．ピグメントレッド１２２（Ｉｎｋ  Ｊｅｔ  Ｍａｇｅｎｔａ  Ｅ  ０２、ＢＡＳＦ製）に変更した。それ以外は、顔料分散液１の調製と同様の手順で、顔料が樹脂によって水中に分散された状態の顔料分散液３（顔料の含有量が１５．０％、樹脂の含有量が６．０％）を得た。
【００６０】
（顔料分散液４）
顔料分散液１の調製において、顔料の種類をＣ．Ｉ．ピグメントイエロー７４（Ｈａｎｓａ  ｙｅｌｌｏｗ  ５ＧＸＢ、クラリアント製）に変更した。それ以外は、顔料分散液１の調製と同様の手順で、顔料が樹脂によって水中に分散された状態の顔料分散液４（顔料の含有量が１５．０％、樹脂の含有量が６．０％）を得た。
【００６１】
＜インクの調製＞
表５に記載の各成分を混合し、十分撹拌した後、ポアサイズ３．０μｍのフィルターにて加圧ろ過を行い、インクを得た。
【００６２】
【表５】
2019163432.tif 000007
【００６３】
＜評価＞
本発明においては、下記の項目の評価基準で、Ａ、及びＢを許容できるレベルとし、Ｃを許容できないレベルとした。評価結果を表６に示す。
【００６４】
（インクの間欠吐出安定性）
インクジェット記録装置（ＰＩＸＵＳ  Ｐｒｏ−１０、キヤノン製）内の液体供給装置に、表２〜４に記載の液体を充填した。前記液体供給装置は、図１に記載の通り、液体を供給する部材としてワイパー（部材１）を有する。実施例６及び３１は、液体を供給する部材としてワイパー（部材１）を用いる代わりに、不織布（部材２）を用いた。さらに、表５に記載のインクをインクタンクに充填して、前記インクジェット記録装置に搭載した。前記インクジェット記録装置では、解像度が６００ｄｐｉ×６００ｄｐｉで、１／６００インチ×１／６００インチの単位領域に３．８ｎｇのインク滴を８滴付与する条件で記録した画像を記録デューティが１００％であると定義する。記録媒体としては、住友スリーエム製のＯＨＰフィルムＣＧ３４１０を用いた。
【００６５】
温度３０℃、相対湿度１０％の環境下、記録ヘッドの有するすべての吐出口からインクを吐出して、１９ｃｍ×２６ｃｍのベタ画像を１枚記録した後、表６に記載の液体を供給する部材を用いて、液体供給装置に搭載されている液体を吐出口面に供給した。比較例１及び９は、吐出口面に液体を供給する動作を行わなかった。比較例２は、液体が付与されていないワイパーで吐出口面をワイピングした。
【００６６】
吐出口面に液体を供給した後、一定時間インクが吐出されない状態でインクジェット記録装置を放置した。放置時間２０分ごとに、すべての吐出口からインクを吐出し、横一列に幅１ドット分の罫線を記録した。記録した罫線を目視で確認し、下記の評価基準で評価を行った。
Ａ：放置時間が１時間の時点で、吐出されていない部分があった
Ｂ：放置時間が４０分の時点で、吐出されていない部分があった
Ｃ：放置時間が２０分の時点で、吐出されていない部分があった。
【００６７】
【表６】
2019163432.tif 000008
【図１】
2019163432.tif 000010
【図２】
2019163432.tif 000011